(57)【要約】【課題】電気採暖具の省エネルギー化を更に増進すること。【解決手段】発熱体１と、この発熱体１を覆う基材４からなる本体とを備え、この本体を床に敷設した際、発熱体１と床面９との間に、減圧又は真空に近い気圧状態を有する容器Ａ１１（空間層）が位置するように形成している。これによって、省エネルギー性に一層優れた電気採暖具を提供することができる。【選択図】図１
2005344959.tif 000002
【特許請求の範囲】
【請求項１】
発熱体と該発熱体を覆う基材とからなる採暖具本体と、該採暖具本体と床面との間に設けられ減圧状態又は真空状態の空間層とを備えた電気採暖具。
【請求項２】
空間層は容器で形成された請求項１に記載の電気採暖具。
【請求項３】
基材は、軟質発泡体からなる請求項１又は２記載の電気採暖具。
【請求項４】
空間層は、発熱体に対向する位置に設けられた請求項１、２又は３に記載の電気採暖具。
【発明の詳細な説明】
【技術分野】
【０００１】
本発明は、電気カーペット等の電気採暖具に関するものである。
【背景技術】
【０００２】
従来この種の電気採暖具は、省エネルギー化をはかる為に、気密性を有する空気層で床面との断熱を行なっている（例えば、特許文献１参照）。図４は、特許文献１に記載された従来の電気採暖具の外観斜視図、図５はその断面構成図（但し、カバーは除いて図示されている）であるが、図４に示すように、熱源である発熱体１が表布２に接着固定されており、裏材３と表布２の間に断熱機能を有するフェルト４が挟まれた構成になっている。また上面には、デザイン性の良いカバー５が被覆されている。
【０００３】
また、図５（ただし、カバー５は省略されて図示）に示すように、裏材３は、シート６とシート７より構成され、シート７は、半球状の凸部を全面に有し、且つシート６とで半球状の空気層８を形成している。また、空気層８の半球状の先端が床面９と接している。このように空気層８を発熱体１と床面９との間に設けることで床面９に放熱される熱を抑え、省エネルギー化を図っている。
【特許文献１】特開平１１−１５９７７９号公報
【発明の開示】
【発明が解決しようとする課題】
【０００４】
昨今、地球資源の枯渇化が懸念され、一方更なる省エネルギー化が要望されているが、上記従来の構成ではその要望に対して十分に満足するものとは言い難いものであった。本発明は、上記社会の要望である省エネルギー化に応えることの出来る電気採暖具を提供することを目的とする。
【課題を解決するための手段】
【０００５】
上記従来の課題を解決するために、空気層の代わりに、この空気層より断熱効果が格段に優る減圧又は真空に近い気圧状態を有する空間層を発熱体と床面との間に設けるように形成したものである。
【０００６】
これによって、発熱体から床面への無駄な放熱を、減圧又は真空に近い気圧状態を有する空間層で抑制出来る。
【発明の効果】
【０００７】
本発明の電気採暖具は、発熱体から床面への無駄な放熱を、抑制することにより、一層多くの省エネルギー化が図れる。
【発明を実施するための最良の形態】
【０００８】
第１の発明は、発熱体と、前記発熱体を覆う基材からなる本体とを備え、前記本体を床に敷設した場合、前記発熱体と床面との間に、減圧又は真空に近い気圧状態を有する空間層を設けたことにより、発熱体から床面への無駄な放熱を、抑制することでより多くの省エネルギー化が図れる。
【０００９】
第２の発明は、特に、第１の発明の空間層を、減圧又は真空に近い気圧状態を有する容器で構成した為に、重いものを電気採暖具上に落としたり、台車などが通過しても潰れることが無い。
【００１０】
第３の発明は、特に、第１及び第２の発明の基材を、軟質発泡体とし、本体を床に敷設した場合、床面と接する面の内側に、減圧又は真空に近い気圧状態を有する容器（空間層）を設けたことにより、容器が本体外側に突出することがないので、本体裏面と床面が全面接触出来ることにより、使用中の本体の床面に対する位置ずれを防止できる。
【００１１】
第４の発明は、特に、空間層（容器）を発熱体に対向する位置に設けたことにより、最も温度の高い発熱体全体に渡って床面との間に、空間層（容器）を設けた為に、床面へ放熱される熱を効果的に遮断出来、更なる省エネルギー化が可能となる。
【００１２】
以下、本発明の実施の形態について、図面を参照しながら説明する。なお、この実施の形態によって本発明が限定されるものではない。
【００１３】
（実施の形態１）
図１は、本発明の実施の形態１における電気採暖具の断面構成図である。図１において、背景技術で説明した内容と同一符号のものは、同一構造を有しるものとして説明する。図において、裏材１０には、減圧又は真空に近い気圧状態を有する容器Ａ１１（空間層）が裏材１０の全面に渡って適当な間隔で配置されている。
【００１４】
以上のように構成された電気採暖具について、以下その動作、作用を説明する。
【００１５】
発熱体１から床面９に放熱される熱を、空気層よりも格段に断熱効果のある、減圧又は真空に近い気圧状態を有する容器Ａ１１で断熱することが出来る。以上のように、本実施例の形態においては、空気層よりも格段に断熱効果のある容器Ａ１１で断熱することで更に省エネルギー化が図れる。
【００１６】
尚本実施の形態において、硬めのフェルトを使用した場合は、図１に示すように、発熱体１の厚さにより表布２とフェルト４に隙間を生じる可能性があるが、この隙間により、本発明の構成ならびに効果になんら影響は無い。
【００１７】
また、本実施の形態では、容器Ａ１１（空間層）が裏材１０の全面に渡って適当な間隔で配置されている構成といしているが、容器Ａ１１を小さめのカプセルとして基材４の内部に配置しても、同様の効果が得られる。
【００１８】
（実施の形態２）
図２は、本発明の実施の形態２における電気採暖具の断面構成図である。図２において、背景技術と実施の形態１で説明した内容と同一符号のものは、同一構造を有し説明は、省略する。図において、容器Ａ１１は、裏材１０の内側（本体内部）に位置している。これは、軟質発泡体１２は、２液を混合させて化学反応させることで、表布２と裏材１０の間隙を隙間なく充填させることが可能であるため容器Ａ１１を内側に位置させて図のような構成にできる。
【００１９】
以上のように構成された電気採暖具について、以下その動作、作用を説明する。
【００２０】
容器Ａ１１が本体内部のある為に、容器Ａ１１の断熱効果で、省エネルギー化を図りながら、裏材１０が床面９に対し全面で接する構成にできる。
【００２１】
以上のように、本実施の形態においては容器Ａ１１を本体内部に構成した為に裏材１０が床面９に対し全面で接することとなり、使用中の本体の床面９に対する位置ずれを防止できる。また容器Ａ１１を本体内部に構成した為に容器Ａ１１の体積に該当する量の軟質発泡体１２の使用量を減少でき省資源化が図れる。
【００２２】
（実施の形態３）
図３は、本発明の実施の形態３の電気採暖具の外観斜視図である。図３において、背景技術と実施の形態１及び２で説明した内容と同一符号のものは、同一構造を有するものとして説明する。図において、裏材１０には、発熱体１に対向した形状の減圧又は真空に近い気圧状態を有する容器Ｂ１３が発熱体１に沿って設けられている。
【００２３】
以上のように構成された電気採暖具について、以下その動作、作用を説明する。
【００２４】
まず、発熱体１の部分が最も温度が高い為、発熱体１から床面９に向かっての温度勾配が大きく、この部分での放熱が大きい。従って、発熱体１と床面９の間に隙間なく容器Ｂ１３を設けることで、放熱をより抑制できる。
【００２５】
以上のように、本実施の形態においては、容器Ｂ１３を発熱体１と床面９の間に隙間なく設けることにより、発熱体１から床面９に向かっての温度勾配が大きい部分全体に断熱効果のある容器Ｂ１３を設けたことでより省エネルギー化が図れる。
【産業上の利用可能性】
【００２６】
以上のように、本発明にかかる電気採暖具は、空間層の断熱による省エネルギー性と、接触面の広さによる位置ずれ防止を兼ね備えているため、床面等の面上に敷設する採暖具として有用である。
【図面の簡単な説明】
【００２７】
【図１】本発明の実施の形態１における電気採暖具の断面図
【図２】本発明の実施の形態２における電気採暖具の断面図
【図３】本発明の実施の形態３における電気採暖具の一部切欠き外観斜視図
【図４】従来の電気採暖具の一部切欠き外観斜視図
【図５】従来の電気採暖具の断面図
【符号の説明】
【００２８】
１  発熱体
９  床面
１１  容器Ａ
１２  軟質発泡体
１３  容器Ｂ
【図１】
2005344959.tif 000003
【図２】
2005344959.tif 000004
【図３】
2005344959.tif 000005
【図４】
2005344959.tif 000006
【図５】
2005344959.tif 000007